(57)【要約】【課題】  磁気遮蔽部材および電磁誘導加熱コイルの冷却性能を向上させる一方、磁気遮蔽部材の支持構造を可及的に簡略化、低コスト化した電磁誘導加熱式電気炊飯器を提供することを目的とする。【解決手段】  電磁誘導加熱可能な金属製の内鍋と、該内鍋を収納セットする内ケースと、該内ケースを覆う外ケースと、上記内ケースの底部にあって上記内ケース内に収納セットされた内鍋を加熱する電磁誘導加熱コイルと、上記外ケース内の底部にあって、上記内ケースと外ケースとの間の空間に送風する送風ファンと、該送風ファンの下流に設けられた基板と、上記電磁誘導加熱コイルの外周を囲むリング状の帯板構造よりなる磁気遮蔽部材と、上記内ケース上部の開口部を覆う蓋ユニットとからなり、上記磁気遮蔽部材は、その一部が上記送風ファンの一部と上下方向に対向して設置されるようにした。  そのため、送風ファンからの風が直接磁気遮蔽部材に当たるようになり、発熱する磁気遮蔽部材が効果的に冷却され、全体の温度の上昇が有効に抑制され、また、電磁誘導加熱コイル側にも直接風が侵入しやすくなる。【選択図】    図５
2005253842.tif 000002
【特許請求の範囲】
【請求項１】
電磁誘導加熱可能な金属製の内鍋と、該内鍋を収納セットする内ケースと、該内ケースを覆う外ケースと、上記内ケースの底部にあって上記内ケース内に収納セットされた内鍋を加熱する電磁誘導加熱コイルと、上記外ケース内の底部にあって、上記内ケースと外ケースとの間の空間に送風する送風ファンと、該送風ファンの下流に設けられた基板と、上記電磁誘導加熱コイルの外周を囲むリング状の帯板構造よりなる磁気遮蔽部材と、上記内ケース上部の開口部を覆う蓋ユニットとからなり、上記磁気遮蔽部材は、その一部が上記送風ファンの一部と上下方向に対向して設置されていることを特徴とする電磁誘導加熱式の電気炊飯器。
【請求項２】
送風ファンは、磁気遮蔽部材の下方側に位置して下方から上方に送風するようになっており、帯板構造よりなる磁気遮蔽部材の内側と外側の両面を冷却するようになっていることを特徴とする請求項１記載の電磁誘導加熱式の電気炊飯器。
【請求項３】
磁気遮蔽部材の一部は送風ファンの一部と上下に当接し、送風ファンによって支持固定されていることを特徴とする請求項１又は２記載の電磁誘導加熱式の電気炊飯器。
【請求項４】
基板が送風ファンの上部に位置して設けられており、磁気遮蔽部材は、基板の一部と送風ファンとの間に固定されていることを特徴とする請求項１，２又は３記載の電磁誘導加熱式の電気炊飯器。
【請求項５】
磁気遮蔽部材の送風ファンとの対向部には、送風ファンからの風を電磁誘導加熱コイルの方向にガイドする風ガイド部が設けられていることを特徴とする請求項１，２，３又は４記載の電磁誘導加熱式の電気炊飯器。
【請求項６】
磁気遮蔽部材を固定する基板の一部には、送風ファンからの風を電磁誘導加熱コイルの方向にガイドする風ガイド部が設けられていることを特徴とする請求項４記載の電磁誘導加熱式の電気炊飯器。
【発明の詳細な説明】
【技術分野】
【０００１】
本願発明は、ワークコイル外周に磁気遮蔽部材を備えた電磁誘導加熱式の電気炊飯器に関するものである。
【背景技術】
【０００２】
電磁誘導加熱式の電気炊飯器は、電磁誘導加熱可能な金属製の内鍋と、該内鍋を収納セットする内ケースと、該内ケースを覆う外ケースと、該外ケース内の底部にあって上記内鍋を加熱する電磁誘導加熱手段と、上記内鍋の温度を検知する温度検知センサと、該温度検知センサの温度検知データに基いて上記電磁誘導加熱手段の加熱量制御を行う加熱量制御手段と、上記内ケース上部の開口部を覆う蓋ユニットとから構成されている。
【０００３】
そして、上記内鍋を加熱する電磁誘導加熱手段には、一般にワークコイルが採用されており、フェライトコア等を介して同ワークコイルからの磁束が可及的有効に内鍋側に収束して作用するようにし、外部に漏洩しないようにしている（特許文献１参照）。
【０００４】
しかし、同構成の場合、そのままの状態では、どうしても或る程度の磁束が外部にも作用する。その結果、例えばデザイン上からの理由等で上記外ケース部分に金属製の外装部材を使用すると、同部材が加熱される可能性がある。
【０００５】
そこで、そのような問題を解消するために、例えば上述のワークコイルの外周にリング状の金属製の磁気遮蔽部材を設けて、外部に作用する磁束を遮蔽するようにしたものが提案されている（特許文献２参照）。
【０００６】
この磁気遮蔽部材は、上下方向に所定の幅を有した帯状の金属板を多角形のリング部材構造に形成してなり、上記内鍋の底部に対応させて設けられているワークコイルの外周に位置させて、ワークコイルを支持している保護枠又はコイル台と外ケース底部の底部材との間に挟んで支持されていた。
【０００７】
【特許文献１】特開２００２−２０９７２６号公報（第１−第５頁、図１−２）
【０００８】
【特許文献２】特開２００３−１２５９２７号公報（第１−４頁、図１−４）
【発明の開示】
【発明が解決しようとする課題】
【０００９】
しかし、該従来の磁気遮蔽部材の支持構造の場合、一応外ケース内に冷却用の送風ファンが設けられてはいるが、同ファンが外ケース内底部の外周部一端にあって、同ファンからの風が発熱する磁気遮蔽部材そのものに直接当たらないために、冷却効率が悪く、その内側にあるワークコイルは、当該磁気遮蔽部材が風の障害物となるので、さらに冷却効率が悪くなる問題があった。
【００１０】
また、同従来の磁気遮蔽部材の支持構造の場合、外ケース底部の底部材側に磁気遮蔽部材支持用の専用のリブを立設するとともに保護枠又はコイル台側の外周に係止片を備えた遮蔽部材押え用の押えカバーを設ける必要があり、保護枠、コイル台および底部材の構造が複雑で、成型コストが高く、組付作業も繁雑であった。
【００１１】
本願発明は、このような問題を解決するためになされたもので、磁気遮蔽部材の少なくとも一部を送風用のファンと対向させることによって磁気遮蔽部材および電磁誘導加熱コイルの冷却性能を向上させる一方、また同ファンを利用して磁気遮蔽部材を固定するようにすることによって、可及的に支持構造を簡略化、低コスト化した電磁誘導加熱式電気炊飯器を提供することを目的とするものである。
【課題を解決するための手段】
【００１２】
本願発明は、上記従来の問題を確実に解決し、その目的を達成するために、次のような課題解決手段を備えて構成されている。
【００１３】
（１）  第１の課題解決手段
この発明の第１の課題解決手段は、電磁誘導加熱可能な金属製の内鍋と、該内鍋を収納セットする内ケースと、該内ケースを覆う外ケースと、上記内ケースの底部にあって上記内ケース内に収納セットされた内鍋を加熱する電磁誘導加熱コイルと、上記外ケース内の底部にあって、上記内ケースと外ケースとの間の空間に送風する送風ファンと、該送風ファンの下流に設けられた基板と、上記電磁誘導加熱コイルの外周を囲むリング状の帯板構造よりなる磁気遮蔽部材と、上記内ケース上部の開口部を覆う蓋ユニットとからなり、上記磁気遮蔽部材は、その一部が上記送風ファンの一部と上下方向に対向して設置されていることを特徴としている。
【００１４】
このような構成によれば、送風ファンからの風が直接磁気遮蔽部材に当たるようになり、発熱する磁気遮蔽部材が効果的に冷却され、全体の温度の上昇が有効に抑制される。また、電磁誘導加熱コイル側にも直接風が侵入しやすくなる。
【００１５】
（２）  第２の課題解決手段
この発明の第２の課題解決手段は、上記第１の課題解決手段の構成において、送風ファンは、帯板構造よりなる磁気遮蔽部材の下方側に位置して下方から上方に送風するようになっており、磁気遮蔽部材の内側と外側の両面を冷却するようになっていることを特徴としている。
【００１６】
このような構成によれば、帯板構造の磁気遮蔽部材の内外両面が効率良く冷却されるようになるので、磁気遮蔽部材全体の冷却効果が高くなる。また、内側に流れる風が電磁誘導加熱コイル側に効果的に分流されるようになる。
【００１７】
（３）  第３の課題解決手段
この発明の第３の課題解決手段は、上記第１又は第２の課題解決手段の構成において、磁気遮蔽部材の一部は送風ファンの一部と上下に当接し、送風ファンによって支持固定されていることを特徴としている。
【００１８】
このような構成によれば、送風ファンの一部を利用して磁気遮蔽部材を支持することができ、その部分では、外ケース底部に従来のようなリブを形成する必要がなくなる。
【００１９】
その結果、底部材の構造が簡単になり、成型コストも低減され、組付作業も容易になる。
【００２０】
（４）  第４の課題解決手段
この発明の第４の課題解決手段は、上記第１，第２又は第３の課題解決手段の構成において、基板が送風ファンの上部に位置して設けられており、磁気遮蔽部材は、基板の一部と送風ファンとの間に固定されていることを特徴としている。
【００２１】
このような構成によれば、上下に位置する送風ファンと基板の一部を利用して、それらの間に、より確実に磁気遮蔽部材を支持固定することができるようになる。
【００２２】
（５）  第５の課題解決手段
この発明の第５の課題解決手段は、上記第１，第２，第３又は第４の課題解決手段の構成において、磁気遮蔽部材の送風ファンとの対向部には、送風ファンからの風を電磁誘導加熱コイルの方向にガイドする風ガイド部が設けられていることを特徴としている。
【００２３】
このような構成によれば、送風ファンからの風が、磁気遮蔽部材側に設けられた風ガイド部によって積極的に電磁誘導加熱コイル側にも分流されて、電磁誘導加熱コイルが有効に冷却される。
【００２４】
（６）  第６の課題解決手段
この発明の第６の課題解決手段は、上記第４の課題解決手段の構成において、磁気遮蔽部材を固定する基板の一部には、送風ファンからの風を電磁誘導加熱コイルの方向にガイドする風ガイド部が設けられていることを特徴としている。
【００２５】
このような構成によれば、送風ファンからの風が、基板側に設けられた風ガイド部によって積極的に電磁誘導加熱コイル側にも分流されて、電磁誘導加熱コイルが有効に冷却される。
【発明の効果】
【００２６】
以上の結果、本願発明によると、送風ファンを利用して、磁気遮蔽部材、電磁誘導加熱コイルの有効な冷却機能を実現することができるようになると同時に、あわせて磁気遮蔽部材の固定をも可能とすることができ、製品性能の信頼性を向上させながら、しかも底部材構造の簡略化、成型コスト低減による製品の低コスト化を図ることができる。
【発明を実施するための最良の形態】
【００２７】
（最良の実施の形態１）
図１〜図５は、本願発明を実施するための最良の実施の形態１に係る電気炊飯器の炊飯器本体および同炊飯器本体における磁気遮蔽部材の支持構造を示している。
【００２８】
（炊飯器本体の構成）
先ず該電気炊飯器の炊飯器本体は、例えば図１〜図４に示すように、内部に誘起されるうず電流によって自己発熱が可能な例えばステンレス鋼板等の磁性金属板よりなる内鍋(飯器)３と、該内鍋３を着脱可能に収納セットし得るように形成された合成樹脂製の有底筒状の内ケース（保護枠）４と、該内ケース４を保持する外部筺体である有底筒状の外ケース１と、該外ケース１と上記内ケース４とを一体化して形成された炊飯器本体の上部に開閉可能に設けられた蓋ユニット２とから構成されている。
【００２９】
上記内ケース４の底壁部（底部）４ａの下方側にはコイル台５が設けられ、その上部には、フェライトコア６ａ，６ａ・・・を介し、上記内鍋３の底壁部（底部）３ａの中央部側と側方部側の両位置に対応して各々リッツ線が同心状に巻成された２組のワークコイルＣ1，Ｃ2が、それら相互の間に所定の間隔を置いて、内鍋３の底壁部３ａの全体を包み込むように設けられており、通電時には内鍋３にうず電流を誘起して、その全体を略均一に加熱するようになっている。フェライトコア６ａ，６ａ・・・は、それぞれフェライトコア支持部材６，６・・・を介して取り付けられている。
【００３０】
上記外ケース１は、例えば合成樹脂材で形成された上下方向に略筒状の枠部材１ａと、該枠部材１ａの上端部に結合された合成樹脂製の肩部材７と、上記枠部材１ａの下端部に一体化された合成樹脂製の底部材１ｂと、上記枠部材１ａの側部外周に筒状に巻成された金属製のカバー部材１ｃとからなり、かつ上記内ケース４の底壁部４ａとの間に所定の広さの断熱および通風空間部を形成した全体として前後方向に少し長い有底の筒状体に構成されている。
【００３１】
さらに、上記内ケース４下方側のコイル台５の中央部には、上下方向に同心状に貫通したセンタセンサ収納空間部（センタセンサ嵌装穴)８が形成されており、該センタセンサ収納空間部８中に上下方向に昇降自在な状態で、かつ常時コイルスプリングにより上方に上昇付勢された状態で内鍋温度検知センサおよび内鍋検知スイッチを備えたセンタセンサ９が設けられている。
【００３２】
一方、蓋ユニット２は、その外周面を構成する合成樹脂製の外カバー２１と、該外カバー２１の外周縁部内側に嵌合された内カバー２２と、該内カバー２２の下方に設けられ、内カバー２２の外周縁部および内鍋３の上端側開口縁部３ｂとそれぞれポリカバーパッキン１０ａ，１０ｂを介して対応する金属製の放熱板２３とによって、内側が中空の断熱構造体に形成されている。
【００３３】
この蓋ユニット２は、上記外ケース１上部の肩部材７に対してヒンジ機構１１を介して前方から後方に、またその逆に回動自在に取付けられており、その開放端側には、該蓋ユニット２の所定位置に係合して該蓋ユニット２の上下方向への開閉を行うロック機構１２が設けられている。また、略中央部には、調圧機能を備えた蒸気を逃がすための蒸気放出装置１３が設けられている。
【００３４】
さらに、上記内鍋３の側壁部（側部）３ｃに対応して内ケース４の側壁部（側部）４ｃの外周には保温ヒータＨ1が設けられており、保温時において上記内鍋３の側壁部３ｃを有効に加熱するようになっている。また略内ケース４の上端部４ｂ位置に対応する肩部材７の内側部分には、その全周に亘って肩ヒータＨ2が設けられており、炊飯および保温時において、上記内カバー２２の下方側放熱板２３を加熱することによって内鍋３の上面側の加熱に寄与するとともに、放熱板２３の下面部に生じる凝縮液滴を速かに蒸発させて御飯の白ボケを防止する作用を果たす。
【００３５】
ところで、上記のように、内鍋３を加熱する加熱手段としてワークコイルＣ1，Ｃ2を採用した場合、フェライトコア６ａ，６ａ・・・等を介して同ワークコイルＣ1，Ｃ2からの磁束が可及的有効に内鍋３側に収束して作用するようにし、外部に漏洩しないようにする。
【００３６】
しかし、そのままの状態では、どうしても或る程度の磁束が外部にも作用する。その結果、例えばデザイン上からの理由等で上記のように外ケース１の側壁部分に金属製のカバー部材１ｃを使用すると、同カバー部材１ｃが加熱される可能性がある。
【００３７】
そこで、そのような問題を解消するために、上記ワークコイルＣ1，Ｃ2の外周には、図示のようにリング状の金属製の磁気遮蔽部材３０を設けて、外部に作用する磁束を遮蔽するようにしている。
【００３８】
そして、この磁気遮蔽部材３０は、外周側のワークコイルＣ2の巻成幅に応じて上下方向に所定の高さ幅を有した帯状の金属板を図２のような多角形のリング部材構造に形成してなり、上記内鍋３および内ケース４の底部４ａに対応させて設けられているワークコイルＣ2の外周囲に位置させて、ワークコイルＣ2，Ｃ1を支持しているコイル台５側フェライトコア支持部材６と外ケース１底部の底部材１ｂ上の支持リブとの間および制御基板カバー１５ａと冷却用送風ファン１９のファンケーシング１９ａとの間に挟んで支持されている。
【００３９】
一方、上記炊飯器本体の前部側は、上記外ケース１の枠部材１ａの全体を下方に傾斜させながら前方に長く延出することにより、その上面側にテーパ面構造の操作パネル２５設置用の開口部１４を形成しているとともに、その下方には、制御基板１５、マイコン基板１６、電源基板１７、ヒートシンク１８、発熱部材冷却用の送風ファン１９などの電気部品設置空間２０が形成されている。
【００４０】
制御基板１５は、ＩＧＢＴ等のワークコイル駆動制御用の電子部品を設置して構成されており、支持器体である内ケース４の前面部に隣接して上下方向に延びる制御基板カバー１５ａの前面側に固定して取り付けられている。制御基板カバー１５ａは、その上端部の左右両側に鉤状に設けられた一対の係合縁部１５ｂ，１５ｂを利用して上記内ケース４の上端部４ｂ上の肩部材７の連結縁部（図示省略）に対してビス止めすることにより、吊設して支持されており、その下部には上記ヒートシンク１８および冷却用送風ファン１９が一体に取り付けられている。
【００４１】
ヒートシンク１８は、例えば上記制御基板１５上の発熱部材であるＩＧＢＴに対応して取り付けられており、ＩＧＢＴからの熱を多数枚の放熱フィンを介して効率良く電気部品設置空間２０内に放出するようになっている。また冷却用送風ファン１９は、同ヒートシンク１８の下方側に位置して上記制御基板カバー１５ａの下端１５ｃ，１５ｃ間に水平な状態で取り付けられており、下面側に空気吸込口、上面側に空気吹出口１９ｃを有して、図１の矢印のように下方側から上方に向けて冷却用の風を流すことができるようになっている。そして、この冷却用送風ファン１９は、上記取付状態において扁平な軸流翼１９ｂをファンモータを介して回転可能に設置して構成されており、前後方向に所要の長さ寸法を有して、上記制御基板カバー１５ａを基準としてその前端側の空気吹出領域Ｆ1が上記ヒートシンク１８の全体に対応している一方、後端側の空気吹出領域Ｆ2が上記内ケース４の底部４ａの下方域まで臨まされ、上記磁気遮蔽部材３０の前方側端部３０ａの外側（前方側＝ヒートシンク１８側）と内側（後方側＝ワークコイルＣ2側）の両方に吹出風を効果的に分流させて流すようになっている（図１の矢印参照）。
【００４２】
この最良の実施の形態１の場合、上記磁気遮蔽部材３０は、その後端部３０ｂ側および側部側はコイル台５から内ケース４の底部面に沿って延出されたフェライトコア支持部材６，６の先端側外周の支持縁部３３と底部材１ｂ側から起立された支持リブの支持縁部３４との間に挟み込んで支持固定されているが、上記前方側端部３０ａは、上記制御基板カバー１５ａの背面１５ｄ側中央部から後方に所定の寸法突出して設けられた支持リブ２７と上記冷却用送風ファン１９のファンケーシング１９ａ後部との間に挟み込んで支持固定されている。
【００４３】
支持リブ２７は、例えば図５に詳細に示すように、支持用の縁部本体２７ａの下面側には先端側から基端側にかけて次第に厚み（高さ）が厚く（高く）なるテーパー部材２７ｃが設けられていて、磁気遮蔽部材３０に対して冷却用送風ファン１９のファンケーシング１９ａとの間で有効な押圧力を作用せしめてガタツキのない安定した支持状態を実現することができるようになっているとともに、さらに同縁部本体２７ａの先端側には上方側に伸びた係合片２７ｂが設けられていて、同係合片２７ｂを対応する内ケース４側の係合筒部３５内に係合することにより、上記制御基板カバー１５ａそのものを前後方向へのガタのない安定した状態に支持固定するようになっている。
【００４４】
また、それによって前方側の相互に一体に形成されているマイコン基板１６および電源基板１７との近接した位置関係を正確に規定し、それら相互の干渉（衝合）による特にマイコン基板１６側操作スイッチ部分の動作不良の発生を防止するようになっている。
【００４５】
すなわち、図１の構成の場合、マイコン基板１６はマイコン基板カバー１６ａに取り付けて支持されているが、それらは例えば液晶ディスプレイや各種操作スイッチを備えた操作基板２６と一体にして、上述の操作パネル２５の下方に設けられており、さらに、その下部には電源基板カバー１７ａに取り付けられた電源基板１７が一体に連結して支持されている。したがって、例えば図１のような近接した設置状態で制御基板カバー１５ａとマイコン基板カバー１６ａが相互に干渉すると、操作基板２６側の操作スイッチの動作不良が生じる。
【００４６】
そこで、上述のように制御基板カバー１５ａを正確かつ確実に固定することによって、そのような問題の発生を防止している。
【００４７】
なお、各図中の符号３２は、電源側のコードリールである。
【００４８】
以上のような構成によれば、冷却用送風ファン１９からの風が直接磁気遮蔽部材３０に当たるようになり、ワークコイルＣ2，Ｃ1からの磁束の影響で発熱する磁気遮蔽部材３０が効果的に冷却され、全体の温度の上昇が有効に抑制される。また、ワークコイルＣ2側にも直接風が侵入しやすくなる。その結果、ワークコイルＣ2の有効な冷却が可能になる。
【００４９】
また、同構成では、その場合において、さらに上記冷却用送風ファン１９は、上下方向に所定の幅を有する金属製の帯板構造よりなる磁気遮蔽部材３０の下方側に位置して下方から上方に送風するようになっており、磁気遮蔽部材３０の内側と外側の両面を冷却するようになっている。
【００５０】
したがって、帯板構造の磁気遮蔽部材３０の内外両面が効率良く冷却されるようになり、磁気遮蔽部材３０全体の冷却効果が高くなる。また、内側に流れる風がワークコイルＣ2，Ｃ1側に効果的に分流されるようになる。その結果、ワークコイルＣ2，Ｃ1の冷却性能が一層向上する。
【００５１】
また、同構成では、上記磁気遮蔽部材３０の一部は冷却用送風ファン１９の一部と上下に当接し、冷却用送風ファン１９によって支持固定されている。
【００５２】
このような構成によれば、冷却用送風ファン１９（そのファンケーシング１９ａ）の一部を利用して磁気遮蔽部材３０を支持することができ、その部分では、外ケース１の底部材１ｂに従来のようなリブを形成する必要がなくなる。
【００５３】
その結果、底部材１ｂの構造が簡単になり、成型コストも低減され、組付作業も容易になる。
【００５４】
さらに、同構成では、制御基板１５が冷却用送風ファン１９の上部に位置して設けられており、磁気遮蔽部材３０は、同制御基板１５の制御基板カバー１５ａの一部と冷却用送風ファン１９のファンケーシング１９ａとの間に固定されている。
【００５５】
このような構成によれば、上下に位置する冷却用送風ファン１９のファンケーシング１９ａと制御基板カバー１５ａの一部を利用して、それらの間に、より確実に磁気遮蔽部材３０を支持固定することができるようになる。
【００５６】
（最良の実施の形態２）
次に図６および図７は、本願発明を実施するための最良の実施の形態２に係る電気炊飯器の炊飯器本体および同炊飯器本体における磁気遮蔽部材の支持構造を示している。
【００５７】
この最良の実施の形態２の構成の場合、例えば図６および図７のように、上記最良の実施の形態１の構成における磁気遮蔽部材３０の冷却用送風ファン１９と対向する前端部３０ａ側の下部に、冷却用送風ファン１９からの吹出風をワークコイルＣ2，Ｃ1の方向にガイドする所定の幅で所定の長さの風ガイド片３０ｃが一体に設けられていることを特徴としている。
【００５８】
このような構成によれば、風ガイド片３０ｃの設置による冷却面積の拡大により、磁気遮蔽部材３０自体の冷却性能が向上することに加えて、冷却用送風ファン１９からの吹出風が、同磁気遮蔽部材３０の前端部下部に設けられた風ガイド片３０ｃによって積極的にワークコイルＣ2，Ｃ1側にも分流されるようになり（図６中の矢印参照）、ワークコイルＣ1，Ｃ2がより有効に冷却される。
【００５９】
（最良の実施の形態３）
次に図８および図９は、本願発明を実施するための最良の実施の形態３に係る電気炊飯器の炊飯器本体および同炊飯器本体における磁気遮蔽部材の支持構造を示している。
【００６０】
この最良の実施の形態３の構成の場合、上記最良の実施の形態１の構成における冷却用送風ファン１９と対向する磁気遮蔽部材支持リブ２７を、例えば図８および図９に示すように、幅広く左右両端側まで拡大して、その両側を側壁部３７ａ，３７ｂで連結補強するようにし、同幅の広い支持片部３７で磁気遮蔽部材３０の前端部３０ａを支持するようにし、しかも同幅広の支持片部３７全体を冷却用送風ファン１９からの吹出風をワークコイルＣ2，Ｃ1の方向にガイドする風ガイド部として利用するようにしたことを特徴としている。
【００６１】
このような構成によれば、最良の実施の形態２の場合と同様に、やはり冷却用送風ファン１９からの風が、同幅広の風ガイド部によって積極的にワークコイルＣ2，Ｃ1側にも分流されるようになり、ワークコイルＣ1，Ｃ2が有効に冷却される。
【００６２】
なお、符号３７ｃは、最良の実施の形態２のもの（２７ｃ）と同様の磁気遮蔽部材押圧作用を果すリブである。
【図面の簡単な説明】
【００６３】
【図１】本願発明の最良の実施の形態１に係る電気炊飯器の炊飯器本体全体の構成を示す断面図である。
【図２】同炊飯器本体の底部材を除去して底部側から見た図である。
【図３】同炊飯器本体の要部の分解状態の斜視図である。
【図４】同炊飯器本体の要部の組付状態における斜視図である。
【図５】同炊飯器本体の最小要部の斜視図である。
【図６】本願発明の最良の実施の形態２に係る電気炊飯器の炊飯器本体全体の構成を示す断面図である。
【図７】同炊飯器本体の要部の分解斜視図である。
【図８】本願発明の最良の実施の形態３に係る電気炊飯器の炊飯器本体の構成を示す分解斜視図である。
【図９】同炊飯器本体の要部の組付状態の斜視図である。
【符号の説明】
【００６４】
１：外ケース
１ａ：枠部材
１ｂ：底部材
１ｃ：カバー部材
２：蓋ユニット
３：内鍋
４：内ケース
５：コイル台
６：フェライトコア支持部材
６ａ：フェライトコア
７：肩部材
１５：制御基板
１５ａ：制御基板カバー
１８：ヒートシンク
１９：冷却用ファン
１９ａ：ファンケーシング
２７：支持リブ
２７ａ：係合縁部
２７ｂ：係合片
３０：磁気遮蔽部材
３０ａ：前方側端部
【図１】
2005253842.tif 000003
【図２】
2005253842.tif 000004
【図３】
2005253842.tif 000005
【図４】
2005253842.tif 000006
【図５】
2005253842.tif 000007
【図６】
2005253842.tif 000008
【図７】
2005253842.tif 000009
【図８】
2005253842.tif 000010
【図９】
2005253842.tif 000011